(57)【特許請求の範囲】
【請求項１】
複数のデータラインと複数のスキャンラインとが交差され、その交差部に電界発光セルが配置される表示パネルと、
プリチャージ期間の間、データの階調に応じてプリチャージ電流を前記データラインに供給するプリチャージ駆動部と、
前記プリチャージ期間後の遅延期間の間、前記データラインにデータ電流で充電するデータ駆動部と、
前記遅延期間後の発光期間の間、スキャンパルスが前記スキャンラインに供給されるスキャン駆動部と、を備えることを特徴とする有機電界発光表示装置。
【請求項２】
前記データの階調に対応する前記プリチャージ電流の電流量を示すプリチャージ電流データが登録されているルックアップテーブルと、
前記プリチャージ電流の供給に従ってプリチャージ駆動部を制御する制御部と、をさらに備えることを特徴とする請求項１に記載の有機電界発光表示装置。
【請求項３】
前記プリチャージ駆動部は、
電流値が互いに異なる複数の電流源と、
前記複数の電流源のうち、何れか一つを前記プリチャージ電流として選択する選択部と、
前記プリチャージ電流及びデータ電流を選択的に前記データラインに供給するための第１及び第２のスイッチ素子と、を備えることを特徴とする請求項１に記載の有機電界発光表示装置。
【請求項４】
複数のデータラインと複数のスキャンラインとが交差され、その交差部に電界発光セルが配置される有機電界発光表示装置の駆動方法において、
データの階調に応じてプリチャージ期間の間、プリチャージ電流を前記データラインに供給する段階と、
前記プリチャージ期間後の遅延期間の間、前記データラインにデータ電流を充電する段階と、
前記プリチャージ期間後、前記スキャンパルスを前記スキャンラインに供給して、前記スキャンパルスに同期され、前記電界発光セルに供給されるデータ電流及び前記充電された電流を用いて前記電界発光セルを発光させる段階と、を含むことを特徴とする有機電界発光表示装置の駆動方法。
【請求項５】
前記スキャンパルスは、前記遅延期間後の発光期間の間、供給されることを特徴とする請求項４に記載の有機電界発光表示装置の駆動方法。
【発明の詳細な説明】
【技術分野】
【０００１】
本発明は、有機電界発光表示装置に関し、特に、予備充電（プリチャージ）を用いた有機電界発光表示装置及びその駆動方法に関する。
【背景技術】
【０００２】
最近、陰極線管の問題点である重さと体積とを低減させることのできる各種平板表示装置が開発されている。平板表示装置としては、液晶表示装置（ＬＣＤ）、電界放出表示装置（ＦＥＤ）、プラズマディスプレイパネル（ＰＤＰ）及び電界発光表示装置（ＥＬ表示装置）等がある。
【０００３】
ＰＤＰは、構造と製造工程とが比較的単純であるため、大画面化に最も有利ではあるが、発光効率と輝度が低くて消費電力が大きいという問題点がある。ＬＣＤは、主にノートブックコンピュータの表示素子として利用されていて、その需要が増えつつある。しかし、ＬＣＤは半導体工程により製造されているため、大画面化することに困難さがあり、自発光素子ではないため別途の光源を必要とし、その光源により消費電力が大きくなる問題点がある。なお、ＬＣＤは、偏光フィルター、プリズムシート、拡散板等の光学素子により光損失が多くて視野角が狭いという問題点を有する。
【０００４】
ＥＬ表示装置は、無機ＥＬ表示装置と有機ＥＬ表示装置とに大別され、応答速度が速くて発光効率、輝度及び視野角が大きいという利点を有する。有機ＥＬ表示装置は、大略１０[Ｖ]前後の電圧で数万[ｃｄ/ｍ2]の高輝度に画像を表示することが可能であり、商用化されている大分のＥＬ表示装置に適用されている。
【０００５】
有機ＥＬ表示装置の単位素子は、図１のように、ガラス基板１上に透明導電性物質からなる陽極２を形成し、その上に正孔注入層３、有機物質からなる発光層４、仕事関数の低い金属からなる陰極５が積層される。陽極２と陰極５との間に電界が印加されると、正孔注入層３内の正孔と金属内の電子は各々発光層４の方に進行し、発光層４で結合される。それに従って、発光層４内の蛍光物質が励起及び遷移され、可視光が発生される。この際、輝度は陽極２と陰極５の間の電流に比例するようになる。
【０００６】
有機ＥＬ表示装置は、パッシブ方式とアクティブ方式とに分けられる。
図２は、パッシブ方式の有機ＥＬ表示装置の一部を等価的に示す回路図であり、図３は、パッシブ方式の有機ＥＬ表示装置のスキャン信号とデータ信号との波形を示す波形図である。
【０００７】
図２及び図３を参照すると、パッシブ方式の有機ＥＬ表示装置は、相互に直交する複数のデータラインＤ１ないしＤｍ及び複数のスキャンラインＳ１ないしＳｎと、データラインＤ１ないしＤｍとスキャンラインＳ１ないしＳｎの間の交差部に形成される有機ＥＬセルＯＬＥＤを備える。
【０００８】
データラインＤ１ないしＤｍは、有機ＥＬ素子ＯＬＥＤの陽極に接続され、データ電流Ｉｄを有機ＥＬ素子ＯＬＥＤの陽極に供給する。
スキャンラインＳ１ないしＳｎは、有機ＥＬセルＯＬＥＤの陰極に接続され、データ電流Ｉｄに同期されるスキャンパルスＳＰ１ないしＳＰｎを有機ＥＬセルＯＬＥＤの陰極に供給する。
有機ＥＬセルＯＬＥＤは、スキャンパルスＳＰ１ないしＳＰｎが印加される表示期間ＤＴの間、陽極と陰極との間に流れる電流に比例して光を放出する。
【０００９】
有機ＥＬ表示装置の有機ＥＬセルＯＬＥＤは、データラインＤ１ないしＤｍの抵抗成分と有機ＥＬセルＯＬＥＤに存在する静電容量とによって遅延される応答時間ＲＴの間に電流が充電されるため、応答速度が遅くて輝度が低いという問題点がある。このような有機ＥＬセルＯＬＥＤの遅い応答速度を補償するため、最近では、表示期間ＤＴと表示期間ＤＴとの間の非表示期間としてプリチャージ期間を設け、そのプリチャージ期間の間に、有機ＥＬセルＯＬＥＤをプリチャージする技術が提案されている。一方、このような有機ＥＬ表示装置は、所定の画像を実現する場合、データラインＤ１ないしＤｍ及びスキャンラインＳ１ないしＳｎの位置に応じて、同一のプリチャージ期間に反して、プリチャージ電圧波形が相違することにより、水平クロストーク等の問題が発生する。
【００１０】
これを、図４及び図５を参照して具体的に説明すると下記のとおりである。
まず、図４には、画面の中心にはブラック画像が現れ、ブラック画像を除いた領域にはホワイト画像が現れる停止画面を示す。
【００１１】
この場合、ブラック画像が現れる領域の水平方向に隣接したホワイト画像領域（以下、「第１のホワイト領域Ａ」と称する）と第１のホワイト領域Ａの垂直方向においてのホワイト画像領域（以下、「第２のホワイト領域Ｂ」と称する）との間には、同一輝度を示すためのデータ電流及びプリチャージ電流が印加されても、水平ラインの方向への負荷量の差により駆動電圧（電流）の偏差が発生する。
【００１２】
換言すると、Ｎ＋１番目のスキャンラインにおいて、ブラック画像領域と対応される有機ＥＬセルＯＬＥＤが発光しないことにより、非発光有機ＥＬセルＯＬＥＤに対応される負荷量は、Ｎ＋１番目のスキャンラインにおいての総負荷量から除かれる。これに従って、Ｎ＋１番目のスキャンラインに比べ、相対的に負荷量が大きいＮ番目のスキャンラインに対応される第２のホワイト領域Ｂには、第１のホワイト領域Ａより大きな駆動電圧が充電される。
【００１３】
以後、第１のホワイト領域Ａ及び第２のホワイト領域Ｂに同一な大きさのプリチャージ電流が印加されても、第１のホワイト領域Ａと第２のホワイト領域Ｂの間の駆動電圧の偏差はそのまま維持される。
【００１４】
その結果、図５に示すように、同一なプリチャージ期間の対比、Ｎ＋１番目のスキャンラインに対応されるデータラインに充電される電流量がＮ番目のスキャンラインに対応されるデータラインに充電される電流量に比べ相対的に小さくなることにより、同一階調を表現するための同一のデータ電流及びプリチャージ電流が供給されるにも関わらず、第１のホワイト領域Ａと第２のホワイト領域Ｂの間の輝度差（または、駆動電圧偏差）によるクロストークの問題が発生する。
【発明の開示】
【発明が解決しようとする課題】
【００１５】
従って、本発明の目的は、同一画像実現領域内の輝度差により発生されるクロストークを防止して表示品質を向上させることのできるプリチャージを用いた有機ＥＬ表示装置及びその駆動方法を提供することである。
【課題を解決するための手段】
【００１６】
前記目的の達成のため、本発明に係る有機ＥＬ表示装置は、複数のデータラインと複数のスキャンラインとが交差され、その交差部に電界発光セルが配置される表示パネルと、プリチャージ期間の間、データの階調に応じてプリチャージ電流を前記データラインに供給するプリチャージ駆動部と、前記プリチャージ期間後の遅延期間の間、前記データラインにデータ電流を充電するデータ駆動部と、前記遅延期間後の発光期間の間、スキャンパルスが前記スキャンラインに供給されるスキャン駆動部とを備えることを特徴としている。
【００２０】
また、本発明の実施形態によれば、有機電界発光表示装置は、前記データの階調に対応し、前記プリチャージ電流の電流量を指示するプリチャージ電流データが登載されているルックアップテーブルと、前記プリチャージ電流及び前記データ電流の供給に応じてプリチャージ駆動部を制御する制御部とを更に備えることを特徴とする。
【００２１】
前記プリチャージ駆動部は、電流値が互いに異なる複数の電流源と、前記複数の電流源のうち、何れか一つを前記プリチャージ電流として選択する選択部と、前記プリチャージ電流及びデータ電流を選択的に前記データラインに供給するための第１及び第２のスイッチ素子と、を備えることを特徴とする。
【００２４】
また、複数のデータラインと複数のスキャンラインとが交差され、その交差部に電界発光セルが配置される有機電界発光表示装置の駆動方法は、データの階調に応じてプリチャージ期間の間、プリチャージ電流を前記データラインに供給する段階と、前記プリチャージ期間後の遅延期間の間、前記データラインにデータ電流を充電する段階と、前記プリチャージ期間後、前記スキャンパルスを前記スキャンラインに供給して、前記スキャンパルスに同期され、前記電界発光セルに供給されるデータ電流及び前記充電された電流を用いて前記電界発光セルを発光させる段階と、を含んでいる。
【００２５】
そして、前記スキャンパルスは、前記遅延期間後の発光期間の間、供給されることを特徴とする。
【発明の効果】
【００２８】
本発明に係る有機ＥＬ表示装置及びその駆動方法は、プリチャージ期間と発光期間との間に遅延期間を設定すると共に、遅延期間にはデータラインにデータ電流を供給する。これに従って、データ負荷量の差異による輝度の差異を遅延期間の間に緩化させることにより、クロストークを防止することが可能になる。その結果、表示品質を向上させることが可能になる。
【発明を実施するための最良の形態】
【００２９】
以下、添付された図面を参照し、本発明に係る有機電界発光表示素子について詳細に説明する。
以下、図６ないし図１０Ｂを参照し、本発明の好ましい実施の形態について説明する。
【００３０】
図６に示した本発明の実施の形態に係る有機ＥＬ表示装置は、ｍ×ｎ個の有機ＥＬセルＯＬＥＤがマトリクス状に配置される表示パネル６４と、データ電流を発生するためのデータ駆動部６１と、プリチャージ電流を発生するためのプリチャージ駆動部６２と、データ電流に同期されるスキャンパルスを発生するためのスキャン駆動部６３と、プリチャージ駆動部６２を制御するためのプリチャージ/データ制御部６５とを備える。
【００３１】
表示パネル６４には、ｍ個のデータラインＤ１ないしＤｍとｎ個のスキャンラインＳ１ないしＳｎとが交差し、その交差部の間に、有機ＥＬセルＯＬＥＤが配置される。
【００３２】
データ駆動部６１は、データを順次サンプリングするためのシフトレジスタ回路と、電流ミラー回路や電流シンク回路等の電流源とを含む。このデータ駆動部６１は、デジタルビデオデータをサンプリングし、そのデジタルビデオデータＲＧＢの階調値に対応するデータ電流をプリチャージ駆動部６２を経由してデータラインＤ１ないしＤｍに供給する。
【００３３】
スキャン駆動部６３は、スキャンパルスを順次シフトさせるためのシフトレジスタ回路を含み、データ電流に同期されるスキャンパルスをスキャンラインＳ１ないしＳｎに順次供給する。
【００３４】
プリチャージ駆動部６２は、プリチャージ/データ制御部６５の制御の下に、プリチャージ電流をデータ電流に先立てデータラインＤ１ないしＤｍに供給する。
【００３５】
プリチャージ/データ制御部６５は、デジタルビデオデータＲＧＢの階調値を判断し、その階調値に対応するプリチャージ電流データをルックアップテーブル６６から読み取る。そして、プリチャージ/データ制御部６５は、図示しない垂直/水平同期信号とクロック信号の入力を受け、プリチャージ電流データに対応する制御信号ＳＥＬ１、ＳＥＬ２を選択的に発生し、その制御信号ＳＥＬ１、ＳＥＬ２を用いてプリチャージ駆動部６２を制御する。ここで、第１の制御信号ＳＥＬ１は、スキャン期間（または発光期間）及び遅延期間に先立つプリチャージ期間の間に発生されプリチャージ電流の量を選択し、そのプリチャージ期間の間、プリチャージ電流をデータラインＤ１ないしＤｍに供給するための制御信号である。第２の制御信号ＳＥＬ２はプリチャージ期間の後、プリチャージ電流の供給を遮ると共に、データ電流をデータラインＤ１ないしＤｍに供給するための制御信号である。
【００３６】
ルックアップテーブル６６には、デジタルビデオデータＲＧＢの各階調に対応するプリチャージ電流データが登載されている。
図７はプリチャージ駆動部６２を詳細に示す。
【００３７】
図７に示すプリチャージ駆動部６２は、プリチャージ電流Ｉｐｒｅの電流量を選択するための選択部７１と、プリチャージ電流ＩｐｒｅをデータラインＤに供給するための第１のスイッチ素子７２Ａと、データ電流Ｉｄ１をデータラインＤに供給するための第２のスイッチ素子７２Ｂとを備える。第２のスイッチ素子７２Ｂは、データ駆動部６１に含まれることもできる。
【００３８】
電流選択部７１は、プリチャージ/データ制御部６５からの第１の選択信号ＳＥＬ１に応じて、プリチャージ電流Ｉｐｒｅを電流量が互いに異なるｋ（但し、「ｋ」は２以上の陽の整数）個の電流源（Ｉ１、Ｉ２、・・・Ｉｋ）のうち、何れか一つから選択して第１のスイッチ素子７２Ａに供給する。
【００３９】
第１のスイッチ素子７２Ａはプリチャージ/データ制御部６５からの第１の選択信号ＳＥＬ１に応じて、電流選択部７１により選択されたプリチャージ電流Ｉｐｒｅを発光期間及び遅延期間に先立つプリチャージ期間の間にデータラインＤに供給する。
【００４０】
第２のスイッチ素子７２Ｂは、プリチャージ/データ制御部６５からの第２の選択信号ＳＥＬ２に応じて、データ駆動部６１からのデータ電流Ｉｄ１を遅延期間及び発光期間の間にデータラインＤ１に供給する。
【００４１】
図８は、図７に示す駆動回路と表示パネルのデータラインＤ及び有機ＥＬセルＯＬＥＤを等価的に示す回路図である。
【００４２】
図８において、図面符号「Ｒ」は、データラインＤにおいて、有機ＥＬ素子ＯＬＥＤ間の寄生抵抗であり、「ＣＡＰ」は、有機ＥＬセルＯＬＥＤの寄生静電容量である。
そして「６１Ａ」は、データ駆動部６１に含まれた静電流源としてデータ電流を発生し、「６３Ａ」は、スキャン駆動部６３に含まれたスイッチ素子として発光期間（または表示期間）の間、アース電圧ＧＮＤを有機ＥＬセルＯＬＥＤの陰極に印加し、発光期間を除いたプリチャージ期間及び遅延期間を含む非表示期間の間、有機ＥＬセルＯＬＥＤの陰極に正極性のスキャンバイアス電圧を供給する。「ＶＤＤ」は、静電流源６１Ａに印加される高電位の駆動電圧であり、「ＶＳＳ」は、非表示期間、即ち、非スキャン期間の間、有機ＥＬセルＯＬＥＤの陰極に印加されるスキャンバイアス電圧である。
【００４３】
このような構造を有する本発明に係る有機ＥＬ表示装置は、図９に示すように、プリチャージ駆動部６２からのプリチャージ電流が供給された後、スキャン駆動部６３からのスキャンパルスＳＰが有機ＥＬセルＯＬＥＤに供給される前の期間である遅延期間ＤＴが設けられる。遅延期間ＤＴには、有機ＥＬセルＯＬＥＤにスキャンパルスＳＰが印加されず、データラインＤにデータ電流が充電されるようになることにより、同一階調を表現する領域間の輝度差を防止することが可能になる。その結果、水平クロストークを防止することが可能になる。
【００４４】
これを、図９に示す駆動波形を参照して更に具体的に説明すると下記の通りである。
まず、プリチャージ期間ＰＴでは、Ｎ＋１番目のスキャンラインとＮ番目のスキャンラインの間の負荷量の差に応じて、同一のプリチャージ期間ＰＴに反して、Ｎ＋１番目のスキャンラインに対応するデータラインに充電される電流量が、Ｎ番目のスキャンラインに対応するデータラインに充電される電流量に比べて相対的に小さくなる。
【００４５】
遅延期間ＤＴには、データラインにデータ電流が供給されるが、スキャンラインにはスキャンパルスＳＰが供給されない。これに従って、有機ＥＬセルＯＬＥＤは発光せず、ただデータラインにデータ電流が充電される。その結果、遅延期間ＤＴの間には、相対的に負荷量の小さなＮ＋１番目のスキャンラインに対応するデータラインに充電される電流量が増加し、相対的に負荷量の大きなＮ番目のスキャンラインと対応するデータラインに充電される電流量が減少する。これに従って、遅延期間ＤＴの経過につれて、Ｎ＋１番目のスキャンラインに対応するデータ電流とＮ番目のスキャンラインに対応するデータ電流の間の偏差が小さくなることにより、Ｎ番目のスキャンラインとＮ＋１番目のスキャンラインの間の輝度差が発生しなくなる。
【００４６】
このように、本発明においては、プリチャージ期間ＰＴとスキャンパルスＳＰとが供給される前の遅延期間ＤＴを設けることにより、水平ラインにおいての負荷量の差に応じる輝度差を補償することが可能になる。その結果、同一画像を実現する場合、クロストーク等の問題が発生しなくなることにより、表示品質の向上が可能になる。
【００４７】
以下、本発明においての遅延期間ＤＴを設けるための方法を図１０Ａ及び図１０Ｂを参照して説明すると下記の通りである。
【００４８】
まず、本発明の遅延期間ＤＴを設ける第１の方法を図１０Ａに示した。図１０Ａに示す改善された駆動方式と従来の駆動方式とを示す波形を比較すると、改善された波形においては、従来よりも、スキャンパルスＳＰの印加時間を短縮すると共に、短縮されたスキャンパルスＳＰの印加時間を遅延時間ＤＴとして用いる。
【００４９】
即ち、Ｎ番目のスキャンパルスＳＰの始点からＮ＋１番目のスキャンパルスＳＰの始点までの時間（以下「スキャン時間」と称する）は、同一に維持しながらも、実際スキャンパルスＳＰが印加される時間（以下、「発光期間」または「表示期間」と称する）を従来より短く設定することにより、遅延期間ＤＴを設けるようになる。
【００５０】
これは、システムにおいてのメインクロック信号の数を調節することにより、設定可能になる。例えば、一つのスキャン期間をカウントするカウンターは、２７クロックとして、従来と同一数を維持すると同時に、発光期間におけるカウンターは、従来２５クロックより小さい２２クロックに減じられる。この際、減少したクロック数だけ遅延期間ＤＴの設定のために割愛することにより、遅延期間ＤＴを設けることが可能になる。即ち、図１０Ａに示すように、改善された方式においては、発光期間と次の発光期間との間のオバーラップ期間を遅延期間ＤＴに設定することにより、全体のオバーラップ期間が、従来より長くなることが分かる。ここで、遅延期間ＤＴのために増えたクロック数だけ発光区間が短くなるため、フレーム周波数には変化が生じない。
【００５１】
遅延期間ＤＴを設けるための第２の方法は、図１０Ｂを参照すると、発光区間を維持しながらも、スキャン期間を延ばすことにより、遅延期間ＤＴを設けることが可能になる。
【００５２】
例えば、Ｎ番目及びＮ＋１番目の発光期間（２５クロック）を維持し、Ｎ番目のスキャンパルスＳＰの始点からＮ＋１番目のスキャンパルスＳＰの始点までのスキャン期間を従来２７クロックから３０クロックに延ばすことにより、遅延期間ＤＴを設けることが可能になる。即ち、図１０Ｂにおいても、図１０Ａのように遅延期間ＤＴを含むことにより、全体のオバーラップ期間が、従来よりも長くなることが分かる。
【００５３】
一方、本発明における遅延期間ＤＴを設定するための方法は、図１０Ａ及び図１０Ｂに限定されることなく、公知の何れかの方法を用いることができる。
【００５４】
図６ないし図９を結びつけて、本発明の実施の形態に係る有機ＥＬ表示装置の駆動方法を説明する。
【００５５】
プリチャージ駆動部６２の第１のスイッチ素子７２Ａは、発光期間及び遅延期間ＤＴに先立つプリチャージ期間ＰＴの間にターンオンされ、プリチャージ/データ制御部６５によりデジタルビデオデータＲＧＢの階調に応じて選択されたプリチャージ電流ＩｐｒｅをデータラインＤ１ないしＤｍに供給する。それに従って、データラインＤ１ないしＤｍは、プリチャージ期間ＰＴの間にプリチャージ電流Ｉｐｒｅが充電される。
【００５６】
プリチャージ期間ＰＴに続いて、第１のスイッチ素子７２Ａはターンオフされ、第２のスイッチ素子７２Ｂがターンオンされ、プリチャージ電流の供給が中断されると共に、データ電流が供給される遅延期間ＤＴが続く。このような遅延期間ＤＴでは、有機ＥＬセルＯＬＥＤにスキャンパルスＳＰが印加されず、データラインＤにデータ電流が充電される。その結果、遅延期間ＤＴの経過につれ、同一階調を表わす領域間の駆動電圧の差が少なくなることにより、領域間の輝度差が発生しなくなる。
【００５７】
プリチャージ期間ＰＴ及び遅延期間ＤＴに続いて、発光期間には、第２のスイッチ素子７２Ｂのターンオンが維持されると共に、スキャン駆動部６３のスイッチ素子６３Ａは、アース電圧ＧＮＤのスキャンパルスをスキャンラインＳ１ないしＳｍに順次供給する。このような発光期間の間、有機ＥＬセルＯＬＥＤは、正極性バイアスにより、陽極から陰極にデータ電流Ｉｄ１が流れることにより発光する。
【００５８】
一方、本発明の実施の形態に係る有機ＥＬ表示装置とその駆動方法は、パッシブ方式で説明したたが、公知の他のアクティブ方式の有機電界発光表示装置にも適用可能である。
【図面の簡単な説明】
【００５９】
【図１】従来の有機電界発光表示装置の単位素子を概略的に示す断面図である。
【図２】パッシブ方式の有機電界発光表示装置のアレイを等価的に示す図である。
【図３】従来の有機電界発光表示装置の駆動方式から発生される応答時間の遅延を示す波形図である。
【図４】従来の駆動電圧（電流）の偏差に応じる同一画像領域内のクロストークの発生を示す図である。
【図５】同一階調を表現する画像領域内で充電されるデータ電流量間に偏差が発生されることを示す波形図である。
【図６】本発明の実施の形態に係る有機電界発光表示装置を示すブロック図である。
【図７】図５に示すプリチャージ駆動部を詳細に示す回路図である。
【図８】図５に示す表示パネルとその駆動回路とを等価的に示す回路図である。
【図９】本発明の実施の形態に係るプリチャージ駆動方式を示す波形図である。
【図１０Ａ】図９においての遅延期間を設けるための方法を説明するため図である。
【図１０Ｂ】図９においての遅延期間を設けるための方法を説明するため図である。
【符号の説明】
【００６０】
６１  データ駆動部
６２  プリチャージ駆動部
６３  スキャン駆動部
６４  表示パネル
６５  プリチャージ／データ制御部
Ｓ1〜Ｓｎ  スキャンライン
Ｄ1〜Ｄｍ  データライン
【図１】
0004517202.tif 000002
【図２】
0004517202.tif 000003
【図３】
0004517202.tif 000004
【図４】
0004517202.tif 000005
【図５】
0004517202.tif 000006
【図６】
0004517202.tif 000007
【図７】
0004517202.tif 000008
【図８】
0004517202.tif 000009
【図９】
0004517202.tif 000010
【図１０Ａ】
0004517202.tif 000011
【図１０Ｂ】
0004517202.tif 000012